【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
装置であって、
基本周期的周波数を含む電気的モニタ信号の高周波事象の数のインディケーションを生成するように配される時間ドメインアナライザであって、前記高周波事象が、前記基本周期的周波数より高い周波数を含み、前記基本周期の半サイクル未満である相関時間期間に相関している、前記時間ドメインアナライザと、
前記基本周期的周波数より高い前記電気的モニタ信号の周波数に応答して周波数帯域情報を生成するように配される周波数ドメインアナライザであって、前記周波数帯域情報が前記相関時間期間に相関している、前記周波数ドメインアナライザと、
前記高周波事象の数のインディケーションと前記生成された周波数帯域情報とを監視し、前記高周波事象の数の監視されたインディケーションと前記生成された周波数帯域情報と前記相関時間期間とに応答してフラグを生成するように配される障害検出器と、
を含む、装置。
【請求項２】
請求項１に記載の装置であって、
前記電気的モニタ信号のゼロ交差を判定し、前記電気的モニタ信号を波セグメントに分割するように配される波セグメント決定器を更に含み、
前記相関時間期間が前記波セグメントの少なくとも１つに関連する、装置。
【請求項３】
請求項１に記載の装置であって、
高周波事象の数の閾値と、障害状態を識別するための周波数帯域情報の閾値とを含むシグネチャライブラリを更に含み、
前記高周波事象の数のインディケーションと前記生成された周波数帯域情報とを監視することが、前記高周波事象の数のインディケーションと前記生成された周波数帯域情報とを、事象と障害状態を識別するための周波数帯域情報とのそれぞれの閾値に対して比較することを含む、装置。
【請求項４】
請求項１に記載の装置であって、
前記基本周期的周波数が電力ライン信号の電力ライン周波数であり、前記電気的モニタ信号が前記電力ライン信号に応答して生成される、装置。
【請求項５】
請求項４に記載の装置であって、
前記波形セグメントが、前記電気的モニタ信号のゼロ交差に近接して時間的に整合される、装置。
【請求項６】
請求項１に記載の装置であって、
前記障害検出器が、前記高周波事象の数のインディケーションと前記生成された周波数帯域情報とを監視し、前記電気的モニタ信号上に前記高周波事象が生じた後に前記基本周期の半サイクル未満に前記フラグを生成するように配される、装置。
【請求項７】
請求項１に記載の装置であって、
前記周波数ドメインアナライザが、前記高周波事象の数のインディケーションに応答してサンプリングされる波セグメントサンプルを処理するためにアクティベートされるように配されるプロセッサを含む、装置。
【請求項８】
請求項７に記載の装置であって、
前記周波数ドメインアナライザのプロセッサが、前記基本周期的周波数電気的モニタ信号の一部の間にディアクティベートされるように更に配される、装置。
【請求項９】
請求項８に記載の装置であって、
障害検出器が、前記周波数ドメインアナライザのプロセッサが命令を実行しているときにディアクティベートされ得る汎用プロセッサを含む、装置。
【請求項１０】
請求項７に記載の装置であって、
前記周波数ドメインアナライザのプロセッサが、前記サンプルのセットをＦＦＴするように更に配される、装置。
【請求項１１】
請求項７に記載の装置であって、
前記周波数ドメインアナライザのプロセッサが、前記サンプルのセットをバンドパスフィルタするように更に配される、装置。
【請求項１２】
請求項７に記載の装置であって、
前記障害検出器が、前記電気的モニタ信号によって監視される電力ラインの障害状態のための閾値を示すための時間ドメインと周波数ドメインシグネチャとを含むシグネチャライブラリを含む、装置。
【請求項１３】
請求項１に記載の装置であって、
電力ライン信号の変動に応答して前記電気的モニタ信号を生成するように配されるセンサを更に含み、
前記電力信号の変動が前記電力ライン信号の障害状態に応答して生成される、装置。
【請求項１４】
請求項１に記載の装置であって、
前記周波数ドメインアナライザがプロセッサを含み、前記障害検出器がプロセッサを含み、前記周波数ドメインアナライザのプロセッサと前記障害検出器のプロセッサとが単一基板上に形成される、装置。
【請求項１５】
システムであって、
基本周期的周波数を含む電気的モニタ信号の高周波事象の数のインディケーションを生成するように配されるコンパレータ及びカウンタを含む時間ドメインアナライザであって、前記高周波事象が、前記基本周期的周波数より高い周波数を含み、前記基本周期の半サイクル未満である相関時間期間に相関している、前記時間ドメインアナライザと、
前記基本周期的周波数より高い前記電気的モニタ信号の周波数に応答して周波数帯域情報を生成するように配される第１のプロセッサを含む周波数ドメインアナライザであって、前記周波数帯域情報が前記相関時間期間に相関している、前記周波数ドメインアナライザと、
前記高周波事象の数のインディケーションと前記生成された周波数帯域情報とを監視し、前記高周波事象の数の監視されたインディケーションと前記生成された周波数帯域情報と前記相関時間期間とに応答してフラグを生成するように配される第２のプロセッサを含む障害検出器と、
を含む、システム。
【請求項１６】
請求項１５に記載のシステムであって、
前記第１及び第２のプロセッサが、同じ基板上に形成される、システム。
【請求項１７】
請求項１５に記載のシステムであって、
前記電気的モニタ信号のゼロ交差を判定し、前記電気的モニタ信号を波セグメントに分割するように配される波セグメント決定器を更に含み、
前記相関時間期間が前記波セグメントの少なくとも１つに関連する、システム。
【請求項１８】
請求項１５に記載のシステムであって、
高周波事象の数の閾値と障害状態を識別するための周波数帯域情報の閾値とを含むシグネチャライブラリと、
前記生成されたフラグに応答して電気接続を遮断するように配されるトリップ機構と、
を更に含み、
前記高周波事象の数のインディケーションと前記生成された周波数帯域情報とを監視することが、前記高周波事象の数のインディケーションと前記生成された周波数帯域情報とを、事象と障害状態を識別するための周波数帯域情報とのそれぞれの閾値に対して比較することを含む、システム。
【請求項１９】
方法であって、
基本周期的周波数を含む電気的モニタ信号の高周波事象の数のインディケーションを生成することであって、前記高周波事象が、前記基本周期的周波数より高い周波数を含み、前記基本周期の半サイクル未満である相関時間期間に相関している、前記インディケーションを生成することと、
前記基本周期的周波数より高い前記電気的モニタ信号の周波数に応答して周波数帯域情報を生成することであって、前記周波数帯域情報が前記相関時間期間に相関している、前記周波数帯域情報を生成することと、
前記高周波事象の数のインディケーションと前記生成された周波数帯域情報とを監視することと、
前記高周波事象の数の監視されたインディケーションと前記生成された周波数帯域情報と前記相関時間期間とに応答してフラグを生成することと、
を含む、方法。
【請求項２０】
請求項１９に記載の方法であって、
前記高周波事象の数のインディケーションと前記生成された周波数帯域情報とを、事象と障害状態を識別するための周波数帯域情報とのそれぞれの閾値に対して比較することを更に含み、
前記事象と前記障害状態を識別するための周波数帯域情報とのそれぞれの閾値が、前記高周波事象の数のインディケーションと前記生成された周波数帯域情報とを、前記事象と前記障害状態を識別するための周波数帯域情報とのそれぞれの閾値と比較するために配される少なくとも１つのプロセッサによってアクセス可能なメモリに格納される、方法。